(57)【要約】【課題】太陽光発電ユニットにおいて交換や修理等すべき太陽電池モジュールを簡単且つ迅速に交換や修理等の作業を行える。【解決手段】作業用治具２０は、縦レール部及び横レール部の間に複数の太陽電池モジュールを縦横方向に配列した太陽光発電ユニットにおいて、太陽電池モジュールの交換や修理や掃除等の作業を行う冶具である。作業用治具２０は、基台と、基台の両側部に設けてレール部内を走行可能なコマ２２と、コマ２２に対して進退可能なストッパ部２７とを備えた。ストッパ部２７はコマ２２の凹部内で回動可能であり、縦レール部から後退した第一停止部とコマ２２の下端に垂下して縦レール部内に突出する第二停止部を取り得る。下方に突出したストッパ部２７を、太陽電池モジュールの端縁枠部を押圧固定する取付金具の連結部に当接させて係止する。【選択図】図５
2018157625.tif 000002
【特許請求の範囲】
【請求項１】
対向するレール部の間に複数の太陽電池モジュールが配列された太陽光発電ユニットにおける前記太陽電池モジュールの作業用治具であって、
基台と、
前記基台の両側部に設けられていて前記レール部を走行可能なコマと、
前記コマに対して進退可能なストッパ部とを備え、
前記ストッパ部により適宜の前記太陽電池モジュールの近傍に停止させるようにしたことを特徴とする太陽電池モジュールの作業用治具。
【請求項２】
前記基台には前記コマの走行方向に交差する方向に軸が設置され、前記軸に前記コマが位置調整可能に支持されている請求項１に記載された太陽電池モジュールの作業用治具。
【請求項３】
前記コマは前記軸に揺動可能に支持されている請求項２に記載された太陽電池モジュールの作業用治具。
【請求項４】
前記コマは前記基台の両側部に沿ってそれぞれ複数個配列されている請求項１から３のいずれか１項に記載された太陽電池モジュールの作業用治具。
【請求項５】
前記コマは、前記ストッパ部を前記コマの下面から引っ込んだ位置に保持する第一停止部と前記コマの下面に突出した位置に保持する第二停止部と、を有している請求項１から４のいずれか１項に記載された太陽電池モジュールの作業用治具。
【請求項６】
対向するレール部の間に複数の太陽電池モジュールが配列された太陽光発電ユニットにおける作業用治具による作業方法であって、
基台の両側部にコマを設けた作業用治具の前記コマを前記レール部に沿って走行させて任意の前記太陽電池モジュールの近傍に移動させる工程と、
前記コマに設けたストッパ部を前記レール部に進出させて前記作業用治具を係止させる工程と、
を備えたことを特徴とする作業用治具による作業方法。
【請求項７】
前記太陽電池モジュールは上面側から着脱するようにした請求項６に記載された作業用治具による作業方法。
【請求項８】
前記ストッパ部を前記レール部で自動的に係止させるようにした請求項６または７に記載された作業用治具による作業方法。
【発明の詳細な説明】
【技術分野】
【０００１】
本発明は、例えば平地や屋根等に設置される太陽電池モジュールを配列した太陽光発電ユニットにおける太陽電池モジュールの作業用治具及び作業用治具による作業方法に関する。
【背景技術】
【０００２】
従来、架台上に太陽電池モジュールを縦横方向に配列した太陽光発電ユニットにおいて、列の中間に配列した太陽電池モジュールが故障や破損等した場合、太陽電池モジュールを新設のものに交換するには、その列の端部から太陽電池モジュールを順次取り外さないと、故障や破損等した太陽電池モジュールを交換することができなかった。
【０００３】
また、特許文献１に記載された作業用補助台は、配列された複数の太陽電池モジュールの手が届きにくい場所で清掃や修理や交換等の作業を行う場合、足場等を設けることなく、作業用補助台を太陽電池モジュールの対向する２辺に設置された枠体の隙間に設置して修理等の作業ができるようにしたものである。
作業用補助台は作業用の天面部の両側に側部を固定した断面略コの字状であり、作業用補助台の側部下端に設けた係合部を一対の枠体間の隙間に挿入することで、作業用補助台を設置している。更に作業用補助台を枠体の傾斜に沿って移動させて、係止部を枠部の隙間に設けた太陽電池モジュールの固定部の押え部に係止させることで、滑り落ちを防止している。この状態で、作業者が作業用補助台の天面部に乗って太陽電池モジュールに対する修理等の作業を行う。
【先行技術文献】
【特許文献】
【０００４】
【特許文献１】特開２０１４−１５６０号公報
【発明の概要】
【発明が解決しようとする課題】
【０００５】
しかしながら、上述した複数の太陽電池モジュールを縦横方向に配列させた太陽光発電ユニットでは、一部の太陽電池モジュールが破損したり故障したりした場合、下端部や側端部の太陽電池モジュールから１枚ずつ取り外して破損または故障した太陽電池モジュールを着脱交換する必要があった。そのため、太陽電池モジュールの交換に手間がかかり高コストになるという欠点があった。
【０００６】
また、特許文献１に記載された作業用補助台は、太陽電池モジュールを固定する固定具に側部の係止部を係止させる構成であるため、作業用補助台を複数の太陽電池モジュール間で枠体の固定部を超えて移動させることができなかった。太陽電池モジュール間で作業用補助台を移動させるためには、作業用補助台を持ち上げて固定部をまたいで側部の係止部を別の太陽電池モジュールの枠体に移動させることが必要であった。そのため、複数配列された太陽電池モジュール間での作業用補助台の移動が困難で取り扱いが面倒であった。
また、太陽電池モジュールの配列数が多い大型の太陽光発電ユニットでは、作業者の手が届かないため中間部分に作業用補助台を設置することができなかった。
【０００７】
本発明は、このような課題に鑑みてなされたものであり、太陽光発電ユニットにおいて交換や修理等すべき太陽電池モジュールを簡単且つ迅速に交換や修理等の作業を行えるようにした太陽電池モジュールの作業用治具及び作業用治具による作業方法を提供することを目的とする。
【課題を解決するための手段】
【０００８】
本発明による太陽電池モジュールの作業用治具は、対向するレール部の間に複数の太陽電池モジュールが配列された太陽光発電ユニットにおける太陽電池モジュールの作業用治具であって、基台と、基台の両側部に設けられていてレール部を走行可能なコマと、コマに対して進退可能なストッパ部とを備え、ストッパ部により適宜の太陽電池モジュールの近傍に停止させるようにしたことを特徴とする。
本発明によれば、ストッパ部を作業用治具のコマに設けたため、複数の太陽電池モジュール間を作業用治具がレール部に沿って進退可能であり、しかもストッパ部をコマに対してレール部に進出させることで適宜位置で作業用治具を停止させることができる。そのため、故障や破損等したいずれかの太陽電池モジュールに対して適宜位置に作業用治具を停止させて、作業用治具の上で作業者が修理や交換等の作業を行える。
【０００９】
また、基台にはコマの走行方向に交差する方向に軸が設置され、軸にコマが位置調整可能に支持されていることが好ましい。
太陽電池モジュールの種類に応じてその大きさや形状等が相違していても、作業用治具の両側部に設置するコマの位置を調整できて確実にコマを走行可能にレール部に設置できる。
【００１０】
また、コマは軸に揺動可能に支持されていることが好ましい。
作業用治具のコマが走行するレール部は熱変形や経年劣化等で変形等することがあるが、その場合でも揺動するコマによってレール部の変位に追従して作業用治具を走行できる。
【００１１】
また、コマは基台の両側部に沿ってそれぞれ複数個配列されている。
レールの変形があっても複数に分割されたコマがそれぞれ個別に揺動可能であるため、レール部から離脱することを防止できる。
【００１２】
また、コマは、ストッパ部をコマの下面から引っ込んだ位置に保持する第一停止部と、コマの下面に突出する位置に保持する第二停止部と、を有していてもよい。
コマに設けたストッパ部をレール部から後退した第一停止部とレール部に突出した第二停止部とに選択的に保持することで、作業用治具の走行と係止とをスムーズに切り換えることができ、走行時にストッパ部が邪魔になることがない。
【００１３】
本発明に係る作業用治具による作業方法は、対向するレール部の間に複数の太陽電池モジュールが配列された太陽光発電ユニットにおける作業用治具による作業方法であって、基台の両側部にコマを設けた作業用治具のコマをレール部に沿って走行させて任意の太陽電池モジュールの近傍に移動させる工程と、コマに設けたストッパ部をレール部に進出させて作業用治具を係止させる工程と、を備えたことを特徴とする。
本発明によれば、複数の太陽電池モジュール間を作業用治具がレール部に沿って移動可能であり、コマに設けたストッパ部をレール部に進出させて作業用治具を係止させる。そのため、故障や破損等した太陽電池モジュールに対してその近傍位置に作業用治具を係止させて、作業用治具の上で作業者が修理や交換等の作業を行うことができる。
【００１４】
また、太陽電池モジュールは上面側から着脱するようにしてもよい。
従来、太陽電池モジュールは下面側から着脱操作を行っていたが、上面側から着脱操作できるので作業用治具での作業が容易である。
【００１５】
また、ストッパ部をレール部で自動的に係止させるようにしてもよい。
例えば作業用治具を縦移動させる場合、太陽電池モジュールを固定する取付具に作業用治具を降下させることでコマのストッパ部を係止させることができる。また、作業用治具を横移動させる場合でも停止位置でストッパ部をレール部に係止させることができる。
【発明の効果】
【００１６】
本発明による作業用治具と作業用治具による作業方法によれば、配列された複数の太陽電池モジュール間を作業用治具がレール部に沿って移動可能であるため、任意の太陽電池モジュールの交換や修理や掃除等の作業を容易に行える。
しかも、故障や破損等した太陽電池モジュールの交換や修理等を行う際、レール部を走行する作業用治具のコマに設けたストッパ部で適宜の太陽電池モジュールの近傍に係止させることができて各種の作業を行える。そのため、レール部に作業用治具を係止させる固定具等を設置する必要がない。
【図面の簡単な説明】
【００１７】
【図１】太陽光発電ユニットに本発明の第一実施形態による作業用治具を取り付けた状態の要部斜視図である。
【図２】図１に示す太陽電池モジュールの取付治具を示すＡ部拡大図である。
【図３】作業用治具のコマがレール部に載置された状態の要部断面図である。
【図４】図１に示す作業用治具の平面図である。
【図５】図４に示す作業用治具の側面図である。
【図６】作業用治具を示す図であり、（ａ）はコマからストッパ部を下方に突出させた状態の図、（ｂ）はコマからストッパ部を後退させた状態の図である。
【図７】軸部にコマを取り付けた状態の要部平面図である。
【図８】コマを示す図であり、（ａ）はコマの走行可能な状態の図、（ｂ）はコマのストッパ部を取付金具に当接させた停止状態の図、（ｃ）はコマが取付金具を通過する状態の図である。
【図９】第二実施形態による作業用治具の側面図である。
【図１０】図９における第一コマの拡大図である。
【図１１】（ａ）、（ｂ）、（ｃ）、（ｄ）は第一コマの上昇時にストッパ部が取付金具に係止する工程を示す図である。
【図１２】（ａ）、（ｂ）、（ｃ）、（ｄ），（ｅ）は第一コマの下降時にストッパ部が取付金具に係止する工程を示す図である。
【図１３】第三実施形態による作業用治具の側面からみた側面図である。
【図１４】第一コマの一枚のコマ板を外した状態の説明図である。
【図１５】横レール部に第三実施形態による作業用治具のコマを設置した状態の要部断面図である。
【発明を実施するための形態】
【００１８】
以下、太陽光発電ユニットに用いた本発明の各実施形態による作業用治具及びその作動方法について添付図面に基づいて説明する。
図１乃至図８は本発明の第一実施形態による作業用治具を示す図である。
本発明の実施形態における太陽光発電ユニット１は、図１に示すように、例えば地表面等の設置面に設置された架台の上部に複数の太陽電池モジュール２を配列した太陽電池アレイ３を配設している。本実施形態では太陽電池アレイ３は例えば東西方向に傾斜する傾斜面からなる板状に形成されている。太陽電池アレイ３は複数の太陽電池モジュール２を縦横方向にそれぞれ適宜数配列して構成されており、例えば縦方向（上下方向）に４枚、横方向(水平方向)１１枚配列されている。
【００１９】
太陽光発電ユニット１は縦横方向に配列された隣り合う太陽電池モジュール２の間に凹溝形状のレール部５が縦横方向に配列されている。レール部５は縦方向に配列された縦レール部６と横方向に配列された横レール部７とが格子状に配設されている。各太陽電池モジュール２は例えば長方形板状に形成されており、その四辺が例えばアルミ合金製からなる端縁枠部２ａで囲われている(図２参照)。対向する長辺の端縁枠部２ａが縦レール部６に設けられた２個の取付金具８によってそれぞれ固定されている。
図１において、太陽電池モジュール２を挟む両側の縦レール部６には作業用治具２０が設置されている。作業用治具２０については後述する。
【００２０】
図２及び図３は取付金具８による太陽電池モジュール２の取り付け構造を示す図である。縦レール部６は底部１０が凹溝部１０ａを有する断面略Ｕ字状に形成され、凹溝部１０ａにはナット受け部１１が嵌合されている。底部１０上の両側端部に太陽電池モジュール２が設置されており、底部１０とその両側の太陽電池モジュール２の側面を囲う端縁枠部２ａとで縦レール部６を形成している。
縦レール部６内の上側には取付具として取付金具８が設置されている。取付金具８は両側にそれぞれ太陽電池モジュール２の端縁枠部２ａの上部を押圧する爪部１２が形成され、爪部１２同士の連結部１３は略コの字状に縦レール部６内に落ち込んでおり、その中間部には締結ボルト１４の貫通孔１３ａが形成されている。
【００２１】
締結ボルト１４は軸部が貫通孔１３ａを貫通して略箱状のナット受け部１１内に延びており、先端の雌ねじ部がナット受け部１１内に設けられた略長円形状のナット１６に螺合されている。締結ボルト１４は頭部(またはボルト頭部)１４ａが連結部１３の上に突出していて、例えば六角溝が形成された六角ボルトである。ナット受け部１１の上面には略長円状の長穴１１ａが形成されており、その内部に長円状のナット１６が設置されている。
そのため、締結ボルト１４を回転させて長穴１１ａにナット１６の長円方向を一致させることでナット１６をナット受け部１１から取り出すことができる。また、ナット１６を長穴１１ａに交差させた状態で締結ボルト１４をナット１６に締め込むことで取付金具８をナット受け部１１に固定できる。これによって取付金具８の両側の爪部１２で２つの太陽電池モジュール２の端縁枠部２ａを押圧固定できる。なお、ナット１６はナット受け部１１に固定されていてもよい。
図１に示すように、太陽電池モジュール２は、対向する長辺の両側端縁枠部２ａをそれぞれ縦レール部６内に固定した例えば２つずつの取付金具８の爪部１２によって押圧されて固定されている。
【００２２】
次に作業用治具２０について図４〜図８に基づいて説明する。
図４乃至図６において、作業用治具２０は例えば四角形板状の基台２１の対向する側部に１または複数のコマ２２が設置されており、例えば太陽電池モジュール２と略同一の外形形状とする。側部のコマ２２は例えば図５に示すように第一コマ２２ａ、第二コマ２２ｂ、第三コマ２２ｃの３枚が長手方向に沿って配設されている。作業用治具２０は、両側部のコマ２２を太陽電池モジュール２の両側の縦レール部６または横レール部７に設置して上下方向または横方向に走行する。
なお、第一コマ２２ａ、第二コマ２２ｂ、第三コマ２２ｃは縦レール部６における取付金具８のボルト頭部１４ａ上を走行可能としている。しかも、作業用治具２０の第一コマ２２ａ、第二コマ２２ｂ、第三コマ２２ｃは少なくとも２つの取付金具８のボルト頭部１４ａ上に常時位置して走行可能とすることが好ましい。
【００２３】
基台２１の上部には基台２１の四辺に沿ってパイプ状の軸部２３が支軸を介して固定されている。前側に設置された前軸部２３ａはロープをつけて上方から脚立等に乗った別の作業者が引っ張る等して作業用治具２０を昇降作動させることができる。両側部の側軸部２３ｂは基台２１に乗った作業者が昇降時や作業時等に手で掴むものであり、後方側の後軸部２３ｃは作業者が足をつけて基台２１に寝そべるためのものである。
【００２４】
基台２１の下面側には前軸部２３ａ、後軸部２３ｃと略平行に複数、例えば６本の支持軸２４が取り付けられており、各支持軸２４は基台２１の両側部から突出している。
側部の第一コマ２２ａ、第二コマ２２ｂ、第三コマ２２ｃはそれぞれ各２本の支持軸２４を貫通させて支持されている。図７において、各支持軸２４はコマ２２を貫通しており、コマ２２を挟む前後位置に一対の保持軸２５が間隙を開けて固定されている。
保持軸２５は支持軸２４を貫挿させる略Ｕ字状をなす締め付け部２５ａと締め付け部２５ａの両アーム部を固定する固定部２５ｂとを有し、締め付け部２５ａをボルトとナットで締め込むことで支持軸２４に保持軸２５を固定している。コマ２２を挟む保持軸２５の位置を移動させることで、両側部のコマ２２の間隔を調整できるため、太陽電池モジュール２の寸法の違いに容易に対応できる。
【００２５】
そのため、ボルトを緩めることで保持軸２５とコマ２２との間隔を調整することができ、両側の保持軸２５とコマ２２との間に間隙を設けることで、コマ２２を揺動可能に支持できる。縦レール部６は太陽光の照射熱や経年劣化等で変形し易いので、コマ２２の走行を許容し易いように第一コマ２２ａ、第二コマ２２ｂ、第三コマ２２ｃを個別に揺動可能とした。その場合でも揺動する各コマによってレール部の部分的変位に追従して作業用治具２０を走行できる。
また、縦レール部６の変形や撓み等を防止できる場合には、保持軸２５をコマ２２に当接させてボルトを締め込むことでコマ２２を揺動しないように固定支持してもよい。
【００２６】
図６及び図８（ａ）から（ｃ）において、作業用治具２０のコマ２２において、先端の第一コマ２２ａは対向する二枚の板からなっており、その間に作業用治具２０を適宜位置で係止(ロック)させるストッパ部２７が設置されている。第一コマ２２ａにおいて、一方の側面に所定幅の凹部２８が形成され、凹部２８内でストッパ部２７が支軸２９を中心に回動可能に設置されている。この凹部２８はストッパ部２７を第一コマ２２ａの上方に後退した後退位置に停止させる第一停止部２８ａが段部として形成されている。また凹部２８には、ストッパ部２７が支軸２９回りに反時計回りに回転して第一コマ２２ａの下方に突出する進出位置で停止させられる第二停止部２８ｂが段部として形成されている。
【００２７】
図８（ｂ）、（ｃ）において、ストッパ部２７が下方に垂下して突出していても上昇時には取付金具８の連結部１３に当たって後方に逃げるため、作業用治具２０の走行の障害にはならない。
図８（ｂ）に示すストッパ部２７が垂下して第二停止部２８ｂに停止した状態で、作業用治具２０を降下させることで取付金具８の連結部１３に当接して作業用治具２０が係止させられる。作業用治具２０がストッパ部２７で取付金具８に停止させられた位置で、作業用治具２０の基台２１上に腹ばいに載った作業者が太陽電池モジュール２の修理や交換や掃除等を行えることになる。その際、作業者は前軸部２３ａ、側軸部２３ｂ、後軸部２３ｃによって四方を囲われているため落下や滑り落ちを防止できる。
【００２８】
本実施形態による太陽光発電ユニット１の作業用治具２０は上述した構成を備えており、次に作業用治具２０を用いた太陽光発電ユニット１の太陽電池モジュール２の補修や掃除または交換等の作業方法について説明する。
即ち、図１において、太陽光発電ユニット１は例えば一方向に傾斜した板状に形成されている。ここで、太陽光発電ユニット１の縦方向に配列された４枚の太陽電池モジュール２の下から３つ目の太陽電池モジュール２が故障や破損等したとし、これを符号２Ａで示すものとする。
【００２９】
この場合、同列の最下部の太陽電池モジュール２の両側の縦レール部６に作業用治具２０のコマ２２を設置し、下端の太陽電池モジュール２を作業用治具２０の基台２１で覆う。この状態で、基台２１の両側のコマ２２は下端の太陽電池モジュール２の両側の縦レール部６内の取付金具８に設けた締結ボルト１４の頭部１４ａに載置される。
ここで、１枚の太陽電池モジュール２の両側の縦レール部６の長辺に間隔を開けて取付金具８がそれぞれ２個設置されており、縦方向に隣り合う太陽電池モジュール２同士の横レール部７を挟んだ取付金具８同士の間隔の方が短い間隔に設置されている。図３に示すように、作業用治具２０の各コマ２２はその走行位置に関わらず少なくとも２個のボルト頭部１４ａ上に載置するため、作業用治具２０は安定して設置されている。
【００３０】
作業用治具２０の前軸部２３ａに結んだロープＲを太陽光発電ユニット１の上端部に位置する作業者が脚立等の上から引っ張る。これにより、作業用治具２０が一対の縦レール部６上の各取付金具８のボルト頭部１４ａ上を移動することができる。このとき、第一コマ２２ａに設けたストッパ部２７は、例えば図６（ａ）に示す状態から、凹部２８内で支持軸２９を中心に時計回りに回動しながら取付金具８上を通過する（図８（ｃ）参照）。
作業用治具２０の走行時に縦レール部６が熱や経年劣化等のために変位や変形等していたとしても、コマ２２の第一コマ２２ａ、第二コマ２２ｂ、第三コマ２２ｃはそれぞれ支持軸２４に対して両側に固定した保持軸２５の範囲で揺動可能であるため、個別に揺動して縦レール部６の変位や変形に追従して走行できる。
【００３１】
そして、作業用治具２０が故障や破損等した太陽電池モジュール２Ａの下側の太陽電池モジュール２の上側の取付金具８を通過し終わると、ストッパ部２７は自重により第一コマ２２ａの凹部２８内で反時計回りに回転して垂下し、コマ２２よりも下方に突出する。次に、ロープＲを少し緩めて作業用治具２０を降下させて図８（ｂ）に示すように下側の取付金具８にストッパ部２７を当接させた位置で係止(ロック)させる。
【００３２】
この状態で、ロープＲを離しても作業用治具２０は故障等した太陽電池モジュール２Ａの下側に停止させられており、基台２１上の作業者は故障等した太陽電池モジュール２Ａの修理や掃除等を行う。或いは、太陽光発電ユニット１の上面から左右の縦レール部６に固定された各２個の取付金具８の締結ボルト１４を外すことで故障等した太陽電池モジュール２Ａを取り外すことができる。取り外した太陽電池モジュール２Ａは両側の縦レール部６の間隙から下方に下して受け渡し、新たな太陽電池モジュール２を取り外し手順と逆の手順で取り付けて締結ボルト１４を締め込んで固定する。
また、故障等した太陽電池モジュール２が太陽電池アレイ３の中間に位置していても容易に作業用治具２０を移動して修理や交換を行える。
【００３３】
修理や交換等が終了した後、図８（ｂ）に示す状態から作業用治具２０を支持するロープＲを少し引っ張って上昇させて、第一コマ２２ａのストッパ部２７を第二停止部２８ｂから時計回りに回動させて図８（ａ）に示す第一停止部２８ａに当接させる。そして、ロープＲを緩めて作業用治具２０を太陽光発電ユニット１の下端位置まで降下させ、作業用治具２０を縦レール部６から取り外すことができる。
【００３４】
上述したように第一実施形態による作業用治具２０によれば、縦レール部６上で複数の太陽電池モジュール２間に亘ってコマ２２を走行できて、作業用治具２０を故障や破損等した太陽電池モジュール２Ａの近傍位置まで容易に移動できる。
しかも、作業用治具２０の停止時には進退可能なストッパ部２７を第一コマ２２ａの下方に突出させることで取付金具８や太陽電池モジュール２の端縁枠部２ａに当接させて係止できるため、縦レール部６上の適宜位置に係止させて太陽電池モジュール２の修理や掃除、或いは交換等を行える。
しかも、太陽電池モジュール２Ａの交換等に際して、上面側から締結ボルト１４と取付金具８を外して交換できるため作業が容易になる。
【００３５】
また、太陽光発電ユニット１は外部環境に置かれて太陽光の照射を受けるため熱変動が激しく、更に経時劣化等により縦レール部６が歪みや変形等し易いが、作業用治具２０の第一コマ２２ａ〜第三コマ２２ｃは支持軸２４上で個別に揺動可能に保持したため、縦レール部６の変形等に追従して走行可能である。
コマ２２を挟む保持軸２５の固定位置を支持軸２４に沿って移動調整することでコマ２２の位置調整が可能で両側部のコマ２２の間隔を調整でき、太陽電池モジュール２の寸法の違いに容易に対応できる。
また、作業用治具２０は基台２１の四辺上部に前軸部２３ａ、側軸部２３ｂ、後軸部２３ｃを設けたため、基台２１上に乗る作業者の安全性を確保して作業し易い上にロープＲをつけて引っ張ることで昇降や水平移動を容易に行える。
【００３６】
なお、本発明は上述した第一実施形態による太陽光発電ユニット１の作業用治具２０及びその作業方法に限定されることはなく、本発明の要旨を逸脱しない範囲で適宜の変更や置換等が可能であり、これらはいずれも本発明に含まれる。以下に、本発明の他の実施形態や変形例等について説明するが、上述した実施形態と同一または同様な部分や部材には同一の符号を用いて説明を省略する。
【００３７】
また、作業用治具２０に設けたストッパ部２７はコマ２２の先端の第一コマ２２ａに設置したが、これに加えて、或いはこれに代えて、他の第二コマ２２ｂ、第三コマ２２ｃに設けてもよい。
また、作業用治具２０の両側部に設けたコマ２２は、第一コマ２２ａ〜第三コマ２２ｃの３個に限定されることなく、２個または４個以上の複数に分割してもよい。或いはコマ２２は分割することなく、基台２１の側辺の全長に延びる１つのコマ２２だけで形成してもよい。
【００３８】
次に本発明の第二実施形態による作業用治具２０Ａについて図９乃至図１２により説明する。
本第二実施形態による作業用治具２０Ａは基台２１の両側部に設けたコマ３０が例えば先端側の第一コマ３０ａと後端側の第二コマ３０ｂの２つで形成されている。後端側の第二コマ３０ｂは２本の支持軸２４で支持されている。先端側の第一コマ３０ａは下面の後方には略Ｌ字状に切り欠いたストッパ部３１が形成されており、上面側は支持軸２４を避けるように凹曲面状に切り欠かれた逃げ部３２が形成されている。
【００３９】
先端側の第一コマ３０ａは１本の支持軸２４で回動可能に支持されており、ストッパ部３１が取付金具８の連結部１３に当接することで作業用治具２０Ａを係止させることができる。もう１本の支持軸２４は逃げ部３２が当接することで第一コマ３０ａの回転を規制する。
【００４０】
次に第二実施形態による作業用治具２０Ａの昇降時における係止方法について図１１及び図１２により説明する。
本実施形態においても、第一実施形態と同様に太陽光発電ユニット１は太陽電池モジュール２が縦横方向に配列されており、太陽電池モジュール２の間に縦レール部６と横レール部７が縦横方向に設置されている。本実施形態においても、作業用治具２０Ａは例えば太陽電池モジュール２の両側に設置された縦レール部６にコマ３０をそれぞれ設置してロープＲで引っ張ることで昇降する。
【００４１】
作業用治具２０Ａを縦レール部６に沿って上昇させる場合、図１１（ａ）に示すように前後方向の取付金具８間に位置する第一コマ３０ａは支持軸２４を中心にして回動して自重で縦レール部６内に垂下している。この状態から作業用治具２０Ａの前軸部２３ａに取り付けたロープＲを引き上げると、第一コマ３０ａは下部が取付金具８の連結部１３に当接して支持軸２４を中心に時計回りに回転し、略水平になる（図１１（ｂ）参照）。
更に作業用治具２０Ａを引き上げると取付金具８の連結部１３をストッパ部３１が乗り越える（図１１（ｃ）参照）。その後、作業用治具２０Ａを少し後方に戻すとストッパ部３１が取付金具８の連結部１３に係止し、停止させられる（図１１（ｄ）参照）。この状態で、上方に位置する故障や破損等した太陽電池モジュール２Ａの交換、或いは修理や掃除等を行える。
【００４２】
また、作業用治具２０Ａを降下させる場合、第一コマ３０ａが取付金具８で係止している状態（図１２（ｅ）参照）から図１２（ｄ）の位置まで作業用治具２０Ａを上昇させることで、第一コマ３０ａが取付金具８の連結部１３より外れた状態になり、第一コマ３０ａが自重にて支持軸２４を中心に垂下した状態になる（図１２（ｃ）参照）。この状態から作業用治具２０Ａを縦レール部６に沿って降下させると第一コマ３０ａの下面は下方の取付金具８の連結部１３に当接して反時計回りに回転させられ、取付金具８を乗り越える（図１２（ｂ）参照）。そして、再び前後方向の取付金具８の間で第一コマ３０ａが垂下した状態になり（図１２（ａ）参照）、これを繰り返して降下する。
下降途中で作業用治具２０Ａを再度停止させるには、図１２（ｄ）に示すように、作業用治具２０Ａを少し上昇させて第一コマ３０ａが取付金具８のストッパ部３１を乗り越えた後、降下させることで連結部１３にストッパ部３１が係止させられる（図１２（ｅ）参照）。
【００４３】
上述のように本第二実施形態による作業用治具２０Ａによれば、第一コマ３０ａがストッパ部３１を一体形成しているため、上述の第一実施形態と比較して別個のストッパ部２７と凹部２８を設ける必要がなく部品点数を削減できる。しかも、作業用治具２０Ａの走行によって自動的にストッパ部３１と取付金具８との係合と解除の操作を行える。
【００４４】
次に本発明の第三実施形態による作業用治具２０Ｂについて図１３乃至図１５により説明する。本実施形態による作業用治具２０Ｂは太陽光発電ユニット１における横レール部７に設置して横方向（水平方向）に摺動して故障や破損等のある太陽電池モジュール２Ａの交換や修理や掃除等を行うものである。
本実施形態では、取付金具８は上述した縦レール部６に代えて図１５に示すように横レール部７に設置され、１枚の太陽電池モジュール２の上下方向の端縁枠部２ａを爪部１２で２カ所ずつ押えて固定している。なお、取付金具８は縦レール部６に設置していてもよい。
【００４５】
図１３に示す本第三実施形態による作業用治具２０Ｂは基台２１の両側部に設けたコマ３４が例えば先端側の第一コマ３４ａと後端側の第二コマ３４ｂの２つで形成されている。第一コマ３４ａ及び第二コマ３４ｂはそれぞれ２本の支持軸２４で支持されている。先端側の第一コマ３４ａは２枚のコマ板３５ａ、３５ｂを連結板３６を挟んで互いに連結しており、連結板３６は例えば第一コマ３４ａの長手方向両端と中間に間隔を開けて３枚設けられている。
図１４は第一コマ３４ａの１枚のコマ板３５ｂを除いた図であり、第一コマ３４ａの連結板３６の間には空間が形成され、この空間内にストッパ部３７が支軸３８で回転可能にコマ板３５ａ、３５ｂに支持されている。第二コマ３４ｂも第一コマ３４ａと同一構成を備えている。
【００４６】
図１５は、上述した作業用治具２０Ｂを太陽光発電ユニット１における横方向に配列された太陽電池モジュール２の両側の横レール部７に設置した要部縦断面図を示すものである。本実施形態において、横レール部７に取付金具８が設置され、その上下方向両側に傾斜して設置された太陽電池モジュール２の端縁枠部２ａが両側の爪部１２でそれぞれ押圧固定されている。取付金具８の連結部１３の貫通孔１３ａを通して締結ボルト１４の軸部が底部１０のナット受け部１１内のナット１６に螺合され、頭部１４ａが連結部１３の上方に突出している。
また、作業用治具２０Ｂは、第一コマ３４ａ及び第二コマ３４ｂが、横レール部７の内部ではなく、横レール部７を挟んでその両側に傾斜して設置した太陽電池モジュール２の端縁枠部２ａを固定する取付金具８の両側の爪部１２上にそれぞれ設置されている。そのため、第一コマ３４ａ及び第二コマ３４ｂのコマ板３５ａ、３５ｂが太陽電池モジュール２の端縁枠部２ａ上の爪部１２の上にそれぞれ設置されている。
【００４７】
従って、本実施形態においては、太陽光発電ユニット１の縦横方向に配列された太陽電池モジュール２のいずれかが故障や破損等した場合、修理や交換等のために、故障や破損等した太陽電池モジュール２Ａを含む水平方向の列の端部に作業用治具２０Ｂを設置する。作業用治具２０Ｂは、その両側部のコマ３４を太陽電池モジュール２Ａを含む水平方向の列の両側の横レール部７における太陽電池モジュール２の端縁枠部２ａを押圧する取付金具８の爪部１２上に載置する。
【００４８】
この状態で、第一コマ３４ａ及び第二コマ３４ｂは取付金具８の両側の爪部１２上に載置されている。しかも、取付金具８のボルト頭部１４ａは第一コマ３４ａ及び第二コマ３４ｂの各コマ板３５ａ、３５ｂの間の空間に突出している。更に、支軸３８から垂下するストッパ部３７は横レール部７の両側の太陽電池モジュール２の端縁枠部２ａ間に延びて取付金具８の連結部１３に当接可能な位置にある。
そのため、作業用治具２０Ｂはボルト頭部１４ａとストッパ部３７をガイドとして横レール部７に沿って水平移動される。なお、作業用治具２０Ｂの水平移動時にストッパ部３７が取付金具８やボルト頭部１４ａに当接すると、ストッパ部３７が押されて回動することで逃げるため移動を許容する。
【００４９】
そして、作業用治具２０Ｂを故障または破損等した太陽電池モジュール２Ａの近傍位置で停止させると、太陽光発電ユニット１の太陽電池アレイ３が傾斜状態であるため、作業用治具２０Ｂに斜め下方に移動する荷重が働くが、垂下するストッパ部３７の下部が下側の太陽電池モジュール２の端縁枠部２ａに当接するため、移動を阻止して係止保持される。
この状態で、作業用治具２０Ｂの基台２１に腹這いに乗った作業者が太陽電池モジュール２Ａを取り外して交換したり修理や掃除等をしたりすることができる。
なお、本実施形態において、取付金具８は縦レール部６に設置されていてもよく、この場合には作業用治具２０Ｂの水平移動に伴ってストッパ部３７はよりスムーズに移動する。
【００５０】
なお、第一実施形態や第二実施形態による作業用治具２０、２０Ａにおいても横レール部７に沿って走行させて水平方向に配列された複数の太陽電池モジュール２のいずれかを交換したり修理や掃除したりすることができる。この場合には、ストッパ部２７だけでなくコマ２２，３０の下部が太陽電池モジュール２の端縁枠部２ａに当接することで、係止状態に保持できる。
また、太陽光発電ユニット１は必ずしも太陽電池モジュール２が傾斜していなくてもよく、水平に設置されていてもよい。
【００５１】
上述した各実施形態における作業用治具２０、２０Ａ、２０Ｂの両側部に設置したコマ２２，３０，３４は両側部の全長に亘って１または複数個配設されていてもよいし、或いは両側部の長手方向の一部分にのみ設置されていてもよい。
なお、上述した各実施形態において、作業用治具２０，２０Ａ，２０Ｂは太陽電池モジュール２と略同一形状で略同一の大きさを備えたものとしたが、作業用治具２０，２０Ａ，２０Ｂの形状や大きさは任意に設定できる。例えば太陽電池モジュール２の２個分またはそれ以上の長さに形成してもよいし、太陽電池モジュール２の長さより短い長さに形成してもよい。
【００５２】
また、第一及び第二実施形態による作業用治具２０、２０Ａは縦レール部６に設置した場合、ストッパ部２７、３１が取付金具８に当接することで自動的に係止できるが、横レール部７に設置した場合でもストッパ部２７、ストッパ部３１を有する第一コマ３０ａを横レール部７における太陽電池モジュール２の端縁枠部２ａに当接させることで自動的に係止できる。また、ストッパ部２７、３１を係止させる取付金具８は１つの太陽電池モジュール２に２個設置したが３個以上設置してもよく、その場合には作業用治具２０，２０Ａの係止位置をより細かく決定できる。
なお、作業用治具２０，２０Ａ、２０Ｂの基台２１やコマ２２，３０，３４はアルミ等の金属製でもよいし、合板製等でもよい。
【符号の説明】
【００５３】
１  太陽光発電ユニット
２  太陽電池モジュール
２ａ  端縁枠部
８  取付金具
１２  爪部
１３  連結部
１４  締結ボルト
１４ａ  頭部、ボルト頭部
１６  ナット
２０，２０Ａ、２０Ｂ  作業用治具
２１  基台
２２、３０、３４  コマ
２２ａ，３０ａ、３４ａ  第一コマ
２２ｂ、３０ｂ、３４ｂ  第二コマ
２７、３１、３７  ストッパ部
【図１】
2018157625.tif 000003
【図２】
2018157625.tif 000004
【図３】
2018157625.tif 000005
【図４】
2018157625.tif 000006
【図５】
2018157625.tif 000007
【図６】
2018157625.tif 000008
【図７】
2018157625.tif 000009
【図８】
2018157625.tif 000010
【図９】
2018157625.tif 000011
【図１０】
2018157625.tif 000012
【図１１】
2018157625.tif 000013
【図１２】
2018157625.tif 000014
【図１３】
2018157625.tif 000015
【図１４】
2018157625.tif 000016
【図１５】
2018157625.tif 000017